(57)【要約】【課題】電子機器に搭載する表示素子をプリント配線基板へ保持、固定するのみの構造では、静電気から保護する構造を別に設ける必要があり、取付け作業時間と金型費用および部品コストが増加するという課題がある。【解決手段】リード端子９ａをプリント配線基板に挿入した状態で表示素子９をプリント配線基板上に保持する表示素子保持装置５であって、リード端子９ａを案内する案内部６ａを備える第１枠体部６と、それ以外の第２枠体部７と、弾性を有し、第１枠体部６と第２枠体部７とを相対的に移動可能に結合するヒンジ部８と、を備える表示素子保持装置５。【選択図】図１
2011082292.tif 000002
【特許請求の範囲】
【請求項１】
リード端子をプリント配線基板に挿入した状態で表示素子を前記プリント配線基板上に保持する表示素子保持装置であって、
前記リード端子を案内する案内部を備える第１枠体部と、
それ以外の第２枠体部と、
弾性を有し、前記第１枠体部と前記第２枠体部とを相対的に移動可能に結合するヒンジ部と、
を備える表示素子保持装置。
【請求項２】
前記ヒンジ部は、
前記第１枠体部と前記第２枠体部が相対的に平行移動可能に構成された第１ヒンジ部と、
前記第１枠体部と前記第２枠体部が相対的に回動可能に構成された第２ヒンジ部と、
を備える請求項１記載の表示素子保持装置。
【請求項３】
前記第１ヒンジ部は、先端に傾斜部を有し前記プリント配線基板に装着された状態に表示素子保持装置を係止せしめる係止爪
を備える請求項２記載の表示装置保持装置。
【発明の詳細な説明】
【技術分野】
【０００１】
本発明は、電子機器に搭載する表示素子の保持装置に関するものである。
【背景技術】
【０００２】
近年、電子機器においては通電使用状態の表示に表示素子を用いる機器が多くなっている。その中で、表示素子は多様な表示を行う目的として、信号伝達用のリード端子が多く、プリント配線基板へ挿入し半田付けによる固定までに仮固定する構造が要求される。
【０００３】
また、表示素子は静電気により破壊されやすい部品のため、静電気から保護する構造も要求される。
【０００４】
図７、図８、図９及び図１０に従来の表示素子の保持装置の一例を示す。
【０００５】
図７は、従来の表示素子保持装置の斜視図、図８及び図９は、表示素子を従来の表示素子保持装置に挿入操作する際の説明図、図１０は、従来の表示装置保持装置への表示素子の取り付け状態の一部を示す斜視図である。
【０００６】
従来の表示素子保持装置１は、表示素子載せ台１ｂの左右上部に係止爪１ａを設け、表示素子載せ台１ｂの同一平面をなす一部に上下方向に弾性変形する弾性片１ｅを設け、その先端部に上方へ立ち上がる係止爪１ｇを備えた構成となっている。
【０００７】
また、従来の表示素子保持装置１は、表示素子載せ台１ｂの左右下部に弾性を有し、プリント配線基板（図示せず）との係止突起が、その先端に一体的に配置された係合爪１ｃを備えた構成となっている。
【０００８】
本構成により、従来の表示素子保持装置１は、表示素子載せ台１ｂ上に表示素子保持装置１のガイド部１ｄ側から表示素子２を表示素子保持装置１にスライド挿入することで、表示素子２の左右上面が係止爪１ａに係合されつつ、表示素子下面で弾性片１ｅを下方へ弾性変形させ、表示素子２が表示素子載せ台１ｂ上に収納されると弾性片１ｅが復元しその端部の係止爪１ｇで表示素子２を掛け留めすることができるので、表示素子２のリード端子２ａが折れ曲がったりすることなく表示素子保持装置１のガイド部１ｄに正確に係入させることができ、しかも表示素子保持装置１への取り付け作業性よく容易に行うことができる。
【０００９】
また、表示素子保持装置１に表示素子２を取り付けた後、係合爪１ｃを弾性変形させることで係止突起をプリント配線基板（図示せず）に係止させ、表示素子保持装置１の取付け作業が終了する（特許文献１参照）。
【先行技術文献】
【特許文献】
【００１０】
【特許文献１】実開平４−７５３７６号公報
【発明の概要】
【発明が解決しようとする課題】
【００１１】
しかしながら、従来の表示素子保持装置では、表示素子を表示素子保持装置に挿入し、プリント配線基板に半田付けで固定するまで仮固定する機能しか有していないため、表示素子を静電気から保護する構造を別に設けなければならず、部品点数増加により部品コストが増加するとともに取り付け作業効率が悪いという問題点を有していた。
【００１２】
また、表示素子保持装置をプリント配線基板に取付ける際、係合爪を弾性変形させて係止突起をプリント配線基板に係止させる構造上、係合爪の支持部に一定の長さが必要となり、部品コストが増加するという問題点も有していた。
【課題を解決するための手段】
【００１３】
上記問題を解決するために、本発明の表示素子保持装置は、リード端子をプリント配線基板に挿入した状態で表示素子を前記プリント配線基板上に保持する表示素子保持装置であって、前記リード端子を案内する案内部を備える第１枠体部と、それ以外の第２枠体部と、弾性を有し、前記第１枠体部と前記第２枠体部とを相対的に移動可能に結合するヒンジ部と、を備える。
【００１４】
また、本発明の表示素子保持装置の前記ヒンジ部は、前記第１枠体部と前記第２枠体部が相対的に平行移動可能に構成された第１ヒンジ部と、前記第１枠体部と前記第２枠体部が相対的に回動可能に構成された第２ヒンジ部と、を備える。
【００１５】
また、本発明の表示素子保持装置の前記第１ヒンジ部は、先端に傾斜部を有し前記プリント配線基板に装着された状態に表示素子保持装置を係止せしめる係止爪を備える。
【発明の効果】
【００１６】
本発明の表示素子保持装置は、表示素子のリード端子を案内する案内部を備えた第１枠体部と、表示素子の保持及び静電気からの保護を兼ねた第２枠体部とがヒンジ部により相対的に移動可能に結合された構造を備えることにより、表示素子を静電気から保護する構造を別に設ける必要がなく、部品点数削減によるコスト削減を図れるとともに、表示素子の表示素子保持装置への取付け作業効率を向上させることが出来る。
【００１７】
また、本発明の表示素子保持装置は、弾性を有するヒンジ部が、第１枠体部と第２枠体部とを相対的に平行移動可能に結合する第１ヒンジ部と、第１枠体部と第２枠体部を相対的に回動可能に結合する第２ヒンジ部とからなる構造を備えることにより、第１枠体部と第２枠体部の離間量を大きく取れるので、表示素子の表示素子保持装置への取付け作業効率を向上させることが出来る。
【００１８】
また、本発明の表示素子保持装置は、第１枠体部と第２枠体部とが相対的に平行移動可能に構成された第１ヒンジ部に、先端に係止爪を有しプリント配線基板に装着された状態に表示素子保持装置を係止せしめるフックを備える構造により、フックの支持部を短くすることによるコスト削減を図ることが出来る。
【図面の簡単な説明】
【００１９】
【図１】本発明の第１実施例における表示素子保護装置の正面図
【図２】本発明の第１実施例における表示素子保護装置の前面から見た斜視図
【図３】本発明の第１実施例における表示素子保護装置の背面から見た斜視図
【図４】本発明の第１実施例における表示素子の斜視図
【図５】本発明の第１実施例における表示素子保護装置のヒンジ部が弾性変形した状態を示す図
【図６】本発明の第１実施例における表示素子保護装置に表示素子が嵌め込まれた状態を示す図
【図７】従来の表示素子保持装置の斜視図
【図８】従来の表示素子保持装置の挿入操作の説明図
【図９】従来の表示素子保持装置の挿入操作の説明図
【図１０】従来の表示素子保持装置への表示素子の取り付け状態の一部を示す斜視図
【発明を実施するための形態】
【００２０】
表示素子の取付け作業時間の短縮と樹脂用金型の費用削減を目的とし、表示素子の固定と静電気からの保護を兼ねた枠体部を一体形状とすることで、部品点数及びコストを増加させずに実現する。
【００２１】
以下、発明を実施するための一実施の形態における表示素子保持装置について図面を参照しながら説明する。
【実施例１】
【００２２】
図１は、本発明の一実施例を示す表示素子保持装置５の正面図である。
【００２３】
図２は表示素子装置５を前面側から見た斜視図、図３は表示素子保持装置５を背面側から見た斜視図である。
【００２４】
図４は、表示素子９の斜視図である。
【００２５】
表示素子保持装置５は、表示素子９の上面及び側面を覆う第１枠体部６と、表示素子９の下面側面及び前面下方部を覆う第２枠体部７と、第１枠体部６と第２枠体部７とを結合するヒンジ部８とを備えている。
【００２６】
第１枠体部６は、表示素子９のリード端子９ａを挿入契合する案内部６ａと、プリント配線基板への取付け位置規制用のピン２８ａとを備えている。
【００２７】
第２枠体部７は、表示素子９の保持及び静電気からの保護を兼ねた部位７ａと、部位７ａの上方に一体形成された傾斜部７ｂとを備えている。
【００２８】
ヒンジ部８は、上下方向の弾性を目的とし第１枠体部６と第２枠体部７とを相対的に平行移動可能とする第１ヒンジ部８ａと、前後方向の弾性を目的とし第１枠体部６と第２枠体部７とを相対的に回動可能とする第２ヒンジ部８ｂとを備えている。
【００２９】
第１ヒンジ部８ａは、プリント配線基板（図示せず）への取付け仮固定用のフック１８ａを備え、フック１８ａはその断面が略Ｌ字形で、その先端に凸形状の係止爪１８ｂが備えられており表示素子保護装置５をプリント配線基板に係止可能としている。
【００３０】
次に表示素子９を表示素子保護装置５に取付ける方法について説明する。
【００３１】
まず、表示素子９のリード端子９ａを表示素子保護装置５の前面側から案内部６ａに挿入し、続けて表示素子９の本体部を表示素子保護装置５に嵌め込んでいく。
【００３２】
表示素子９は、表示素子保護装置５の第２枠体部７に設けた部位７ａの傾斜部７ｂに当接し、傾斜部７ｂに当接した状態から表示素子９の嵌め込みを一層進めると、表示素子保護装置５は、第１ヒンジ部８ａの弾性により第２枠体部７を第１枠体部６に対し平行移動させるとともに（図５）、第２ヒンジ部８ｂの弾性により第２枠体部７を第１枠体部６に対し回動させることにより、表示素子９の表示素子保護装置５への嵌め込みが完了する。
【００３３】
この時、表示素子保護装置５は、表示素子９の保持及び静電気からの保護を兼ねた部位７ａが表示素子９の当たりから開放され、ヒンジ部８の弾性により表示素子９を嵌め込む前の位置に復元することで表示素子９の表示素子保護装置５への仮固定が完了し、表示素子９に対し必然的に静電気から保護する構造を形成する（図６）。
【００３４】
本発明の表示素子保持装置５によれば、表示素子９のリード端子９ａを案内する案内部６ａを備えた第１枠体部６と、表示素子９の保持及び静電気からの保護を兼ねた第２枠体部７とが弾性を有するヒンジ部８により相対的に移動可能に結合された構造を備えることにより、表示素子９を静電気から保護する構造を別に設ける必要がなく、部品点数削減によるコスト削減を図れるとともに、表示素子９の表示素子保持装置５への取付け作業効率を向上させることが出来る。
【００３５】
また、本発明の表示素子保持装置５によれば、弾性を有するヒンジ部８が、第１枠体部６と第２枠体部７とを相対的に平行移動可能に結合する第１ヒンジ部８ａと、第１枠体部６と第２枠体部７とを相対的に回動可能に結合する第２ヒンジ部８ｂとからなる構造により、第１枠体部と第２枠体部の離間量を大きく取れるので、表示素子９の表示素子保持装置５への取付け作業効率を向上させることが出来る。
【００３６】
更に表示素子９を仮固定した表示素子保護装置５をプリント配線基板へ取付ける時、表示素子保護装置５に構成された位置規制用のピン６ｂを予めプリント配線基板と契合する位置に設けておき、この位置規制ピン６ｂを挿入することで表示素子９のリード線９ａが必然的にプリント配線基板へ挿入できる関係とするため、挿入作業の容易化を図ると共に、表示素子保護装置５のプリント配線基板への取付け仮固定用のフック１８ａもプリント配線基板へと挿入される。
【００３７】
取付け仮固定用のフック１８ａがプリント配線基板に挿入される際、表示素子保護装置５は、ヒンジ部８の弾性により取付け仮固定用のフック１８ａの先端に設けられた凸形状の係止爪１８ｂの凸量分が変形して挿入され、挿入完了時にはヒンジ部８の弾性により表示素子９を仮固定した表示素子保護装置５をプリント配線基板に挿入する前の位置に復元され抜け防止となることで、表示素子保護装置５のプリント配線基板への固定が完了する。
【００３８】
本発明の表示素子保持装置５によれば、第１枠体部６と第２枠体部７とが相対的に平行移動可能に構成された第１ヒンジ部８ａに、先端に係止爪１８ｂを有しプリント配線基板に装着された状態に表示素子保持装置５を係止せしめるフック１８ａを備える構造により、フック１８ａの支持部を短くすることによるコスト削減を図ることが出来る。
【産業上の利用可能性】
【００３９】
本発明は、表示素子の保持及び静電気からの保護が必要な表示素子保護装置に適用できる。
【符号の説明】
【００４０】
５    表示素子保持装置
６    第１枠体部
６ａ    案内部
６ｂ    ピン
７    第２枠体部
７ａ    部位
７ｂ    傾斜部
８    ヒンジ部
８ａ    第１ヒンジ部
８ｂ    第２ヒンジ部
９    表示素子
９ａ    リード線
１８ａ    フック
１８ｂ    係止爪
【図１】
2011082292.tif 000003
【図２】
2011082292.tif 000004
【図３】
2011082292.tif 000005
【図４】
2011082292.tif 000006
【図５】
2011082292.tif 000007
【図６】
2011082292.tif 000008
【図７】
2011082292.tif 000009
【図８】
2011082292.tif 000010
【図９】
2011082292.tif 000011
【図１０】
2011082292.tif 000012